(57)【要約】【課題】容器口部から蓋の固定部分を取り外すことなく密封用の仕切り部材を取り除くことができ、しかも蓋の固定部分と一体に摺り切り具を形成しておくことができる摺り切り具付の蓋を提供すること。【解決手段】容器としての缶口部Ｃ１に嵌合固定される環状の固定枠体１１に摺り切り具１２の一端部１２ａを係止する係止部１３を設け、固定枠体１１と一体に形成される摺り切り具１２の他端部１２ｃを缶Ｃの仕切り部材Ｃ３を取り外すときに退避可能に連結形成するとともに、一端部１２ａを固定枠体１１に切り離し可能に連結形成しておき、この摺り切り具１２を仕切り部材Ｃ３の上方に収納して固定枠体１１を覆う蓋体１５を設けて構成する。これにより、容器である缶口部Ｃ１から固定枠体１１を取り外すことなく密封用の仕切り部材Ｃ３を取り除くことができ、しかも固定枠体１１と一体に摺り切り具１２を形成しておくことができる。【選択図】      図１
2004338737.tif 000002
【特許請求の範囲】
【請求項１】
容器口部の上部に不通気性の仕切り部材が設けられた容器本体に、蓋の周囲２点間を結んで摺り切り具が設けられた容器の口部に備えられる摺り切り具付の蓋であって、容器口部に嵌合固定されるとともに、前記摺り切り具の一端部を係止する係止部を備えた環状の固定枠体を設け、この固定枠体と一体に形成される前記摺り切り具の他端部を前記仕切り部材を取り外すときに退避可能に連結形成するとともに、前記一端部を前記固定枠体に切り離し可能に連結形成する一方、この摺り切り具を前記仕切り部材の上方に収納して前記固定枠体を覆う蓋体を設けたことを特徴とする摺り切り具付の蓋。
【請求項２】
前記摺り切り具の前記他端部を、当該摺り切り具を上方に退避可能に前記固定枠体に連結して形成したことを特徴とする請求項１記載の摺り切り具付の蓋。
【請求項３】
前記摺り切り具の前記他端部を、当該摺り切り具を前記固定枠体の内周面に沿わせて退避可能に連結して形成したことを特徴とする請求項１記載の摺り切り具付の蓋。
【請求項４】
前記固定枠体と前記蓋体とをヒンジを介して開閉可能に連結して形成したことを特徴とする請求項１または２記載の摺り切り具付の蓋。
【請求項５】
前記固定枠体と前記蓋体との間に改ざんを防止する改ざん防止構造を設けたことを特徴とする請求項１〜４のいずれかに記載の摺り切り具付の蓋。
【発明の詳細な説明】
【０００１】
【発明の属する技術分野】
この発明は摺り切り具付の蓋に関し、容器口部から蓋の固定用部分を取り外すことなく蓋の固定用部分と一体に形成した摺り切り具を退避させて密封用の仕切り部材を取り除くことができ、しかもこの摺り切り具を周囲２点間を結んで配置して摺り切りできるようにしたもので、特に粉ミルクの缶等の容器の蓋として好適なものである。
【０００２】
【従来の技術】
従来から、粉粒体の計量、例えば粉ミルクなどの計量には、スプーンに掬い取ったものを摺り切って計量することが行われており、種々の摺り切り具が提案されている。
【０００３】
例えば、棒状の摺り切り具を開封した缶の内側に取り付けて摺り切りできるようにしていたが、これに代わり、特許文献１には、図５に示すように、摺り切り部１が架橋状に形成されているリング２と外蓋３とで構成し、さらにリング２と外蓋３とを接続片４で連接してあり、粉ミルクの場合には、防湿のためのアルミシールを取り除く必要から缶口部からリング２および外蓋３を一旦取り外し、アルミシールを取り除いた後、再びリング２および外蓋３を取り付け、外蓋３を開閉して使用するようにしている。
【０００４】
また、特許文献２には、図６に示すように、筒状蓋を固定用の固定蓋部５と、開閉用の開閉蓋部６とで構成し、開閉蓋部６を開いて、固定蓋部５の下面の摺り切り条７で摺り切ることができるようにしており、この場合にも固定蓋部５と開閉蓋部６を一旦取り外し、アルミシールを取り除いた後、再び取り付けて、開閉蓋部６のみを開閉して使用するようにしている。
【０００５】
【特許文献１】
特開平９−７７１３４号公報
【特許文献２】
特開平２０００−２８１１１６号公報
【０００６】
【発明が解決しようとする課題】
しかしながら、上記のリング２と外蓋３で構成したものや固定蓋部５と開閉蓋部６とで構成したもののいずれでも、使用開始時に、防湿のため取り付けてあるアルミシールなどを取り除く必要があり、缶口部からリング２と外蓋３や固定蓋部５および開閉蓋部６（以下、これらの部材２，３，５，６を蓋部分全体という。）を一旦取り外さなければならず、大きな蓋部分全体の取り外しや取り付けが煩雑であるという問題がある。
【０００７】
また、通常、リング２と外蓋３との間や固定蓋部５と開閉蓋部６との間に店頭などでのいたずらや改ざんを防止するためのバージンシールが設けられ、これを切り取った後でなければ蓋部分を開けることができないようにしてあるが、使用開始時の蓋部分全体の取り外しを前提としているため、場合によってはバージンシールの切り取り前でも蓋部分全体を取り外すことができる恐れもある。
【０００８】
さらに、蓋部分全体を缶から完全に取り外すことから、使用開始時の１回であるが、粉ミルクの場合などには、取り外した蓋部分全体を衛生的な場所に置かねばならいないという問題もある。
【０００９】
また、一旦アルミシールを取り除いた後保存用の開閉蓋として利用するため缶口部に再取り付けするが、この場合の嵌合力が小さくなって蓋部分全体を持ったときに缶が落下してしまう恐れがあるという問題がある。
【００１０】
この発明は、上記従来技術の課題に鑑みてなされたもので、容器口部から蓋の固定部分を取り外すことなく密封用の仕切り部材を取り除くことができ、しかも蓋の固定部分と一体に摺り切り具を形成しておくことができる摺り切り具付の蓋を提供しようとするものである。
【００１１】
【課題を解決するための手段】
上記従来技術の有する課題を解決するためこの発明の請求項１記載の摺り切り具付の蓋は、容器口部の上部に不通気性の仕切り部材が設けられた容器本体に、蓋の周囲２点間を結んで摺り切り具が設けられた容器の口部に備えられる摺り切り具付の蓋であって、容器口部に嵌合固定されるとともに、前記摺り切り具の一端部を係止する係止部を備えた環状の固定枠体を設け、この固定枠体と一体に形成される前記摺り切り具の他端部を前記仕切り部材を取り外すときに退避可能に連結形成するとともに、前記一端部を前記固定枠体に切り離し可能に連結形成する一方、この摺り切り具を前記仕切り部材の上方に収納して前記固定枠体を覆う蓋体を設けたことを特徴とするものである。
【００１２】
この摺り切り具付の蓋によれば、容器口部の上部に不通気性の仕切り部材が設けられた容器本体に、蓋の周囲２点間を結んで摺り切り具が設けられた容器の口部に備えられる摺り切り具付の蓋であって、容器口部に嵌合固定されるとともに、前記摺り切り具の一端部を係止する係止部を備えた環状の固定枠体を設け、この固定枠体と一体に形成される前記摺り切り具の他端部を前記仕切り部材を取り外すときに退避可能に連結形成するとともに、前記一端部を前記固定枠体に切り離し可能に連結形成する一方、この摺り切り具を前記仕切り部材の上方に収納して前記固定枠体を覆う蓋体を設けて構成してあり、固定枠体を容器の口部に嵌合固定したまま一体に形成された摺り切り具の他端部を連結した状態で退避させて仕切り部材を取り外すようにし、切り離した一端部を固定枠体の係止部に係止して周囲２点間を結んで配置することで摺り切り具として機能させるようにし、これらを蓋体で覆うようにすることで、容器口部から固定枠体を取り外すことなく密封用の仕切り部材を取り除くことができ、しかも固定枠体と一体に摺り切り具を形成しておくことができるようになる。
【００１３】
また、この発明の請求項２記載の摺り切り具付の蓋は、請求項１記載の構成に加え、前記摺り切り具の前記他端部を、当該摺り切り具を上方に退避可能に前記固定枠体に連結して形成したことを特徴とするものである。
【００１４】
この摺り切り具付の蓋によれば、前記摺り切り具の前記他端部を、当該摺り切り具を上方に退避可能に前記固定枠体に連結して形成してあり、固定枠体に一体に摺り切り具が形成してあっても一端部を切り離し、他端部を連結状態のまま上方に退避させて仕切り部材を取り除くことができ、切り離した一端部を係止することで摺り切り具を固定枠体にセットできるようになる。
【００１５】
さらに、この発明の請求項３記載の摺り切り具付の蓋は、請求項１記載の構成に加え、前記摺り切り具の前記他端部を、当該摺り切り具を前記固定枠体の内周面に沿わせて退避可能に連結して形成したことを特徴とするものである。
【００１６】
この摺り切り具付の蓋によれば、前記摺り切り具の前記他端部を、当該摺り切り具を前記固定枠体の内周面に沿わせて退避可能に連結して形成してあり、固定枠体に一体に摺り切り具が形成してあってもそのまま仕切り部材を取り除くことができ、他端部を連結状態のまま一端部を切り離して、係止することで摺り切り具を固定枠体にセットできるようになる。
【００１７】
また、この発明の請求項４記載の摺り切り具付の蓋は、請求項１または２記載の構成に加え、前記固定枠体と前記蓋体とをヒンジを介して開閉可能に連結して形成したことを特徴とするものである。
【００１８】
この摺り切り具付の蓋によれば、前記固定枠体と前記蓋体とをヒンジを介して開閉可能に連結して形成してあり、蓋体も取り外して別置きにする必要がなく、置き場所を考慮することなく常に衛生的に保つことができるとともに、片手で開閉できるようになる。
【００１９】
さらに、この発明の請求項５記載の摺り切り具付の蓋は、請求項１〜４のいずれかに記載の構成に加え、前記固定枠体と前記蓋体との間に改ざんを防止する改ざん防止構造を設けたことを特徴とするものである。
【００２０】
この摺り切り具付の蓋によれば、前記固定枠体と前記蓋体との間に改ざんを防止する改ざん防止構造を設けるようにしており、容器に嵌合固定した固定枠体と蓋体との間に改ざん防止構造を設けることで、固定枠体を１度も取り外す必要がなく、強固に取り付けておくことができ、固定枠体ごと取り外されることを防止して、バージンシール性を確保することができるようになる。
【００２１】
なお、ここで、容器とは、円筒状、角筒状、多角筒状などの形状の容器本体を持つ容器をいい、材質は金属製や合成樹脂製などなんであっても良い。また、周囲２点間を結ぶとは、周囲の２点を直線状に結ぶことをいい、円の場合には弦で結ぶこととなり、他の場合には、２点を直線状に結んで横断することをいう。
【００２２】
【発明の実施の形態】
以下、この発明の実施の形態を図面に基づき詳細に説明する。
図１および図２はこの発明の摺り切り具付の蓋の一実施の形態にかかり、図１は使用前の状態の一部分を省略した概略平面図、図２は使用状態の一部分を省略した概略平面図である。
【００２３】
この摺り切り具付の蓋１０は、容器として、例えば円筒形の缶Ｃに備えられ、その口部Ｃ１に嵌合固定することができる合成樹脂製の環状の固定枠体１１を備えている。この固定枠体１１は、図１（ａ）中に拡大して示すように、缶Ｃの上端縁であるカール部Ｃ２に被せるようにして固定するための逆Ｕ字状の嵌合固定部１１ａが形成され、この摺り切り具付の蓋１０では、一旦、カール部Ｃ２に嵌合固定した後は、廃棄するまで一度も取り外す必要がないことから、例えば、粉ミルクの製造ラインで強固に嵌合固定できるようにしてある。
【００２４】
この固定枠体１１には、合成樹脂により一体に摺り切り具１２が形成してあり、図１，２に示すように、固定枠体１１の内周部に沿って配置され、一端部１２ａが係止部１３を構成する略球状の係止凸部１３ａとされて略球状の側面の一部が固定枠体１１に切り離すことができるように連結されている。そして、摺り切り具１２の中間部１２ｂは横断面形状が矩形や円形などとされて固定枠体１１とは隙間をあけて形成され、他端部１２ｃは連結状態のままここを基点に摺り切り具１２を固定枠体１１の周囲２点間を結んで、例えば円形の缶Ｃの周囲２点を結ぶ弦となるように動かしても切り離れることがないように固定枠体１１と一体成形で連結してある。
【００２５】
また、この固定枠体１１には、摺り切り具１２の切り離される一端部１２ａの係止部１３の係止凸部１３ａを係止するための係止凹部１３ｂが摺り切り具１２の他端部１２ｃを基点に周囲２点間を結ぶ弦状に張った場合の位置に対応して一体に形成してある。この係止凹部１３ｂは、摺り切り具１２の他端部１２ｃを基点として周囲２点間を結ぶ弦状に張る場合には、固定枠体１１の２箇所が選択できるが、いずれの位置でも良く、例えば図１（ｂ）のように、一端部１２ａを大きく動かす位置としたり、一端部１２ａをそのまま固定枠体１１の内周に沿わせて前方に動かす位置としても良い。
【００２６】
なお、容器としては円筒状の缶に限らず、角筒状や多角筒状であっても良く、材質も金属に限らず合成樹脂などであっても良い。また、摺り切り具は、円形の場合には、周囲２点間を結ぶ弦状に配置するが、他の場合には、周囲２点間を結んで横断するように配置すれば良い。
【００２７】
このように構成した摺り切り具付の蓋１０の固定枠体１１は、図１（ａ）に示すように、固定枠体１１の内周に沿うように摺り切り具１２が配置されて一端部１２ａは切り離し可能に、中間部１２ｂは、空間に位置した状態で、他端部１２ｃは連結状態のままそこを基点に一端部１２ａを弦状に動かすことができるようにした状態のまま不通気性のアルミシールＣ３が取り付けられた缶Ｃに強固に嵌合固定される。
【００２８】
このような固定枠体１１には、一端部に連結部１４が一体に形成されるとともに、この連結部１４の他端部に蓋体１５が一体に形成してある。
【００２９】
この蓋体１５は底付円筒状に形成されて固定枠体１１に被せて密閉できるようになっており、その側壁内周部１５ａを固定枠体１１の外周の段差部１１ｂに嵌合することで密閉状態となるようにしてある。
【００３０】
そして、この蓋体１５と固定枠体１１との間に、改ざんなどを防止するための改ざん防止機構１６が設けてあり、通常使用されている改ざん防止機構がそのまま使用でき、例えば、つまみ部の両側を薄肉部としておき、つまみ部をつまんで両側を切り取りことで分離して初めて開閉できるようにする。また、つまみ部の内側に係止部を設けて固定枠体１１に設けた係止部とで、一旦切り離した後に蓋体１５を閉じた状態に保持できるようにしてある。
【００３１】
なお、蓋体１５は、連結部１４としてのヒンジで連結された一体構造とする場合に限らず、別体としても良い。
【００３２】
このように構成した摺り切り具付の蓋１０によれば、粉ミルクなどの容器としての缶Ｃに取り付けられて使用され、使用開始時に、改ざん防止機構１６を切り取って蓋体１５を開け、不通気性のアルミシールＣ３をつまみＣ４をつまんで取り除く。
【００３３】
このアルミシールＣ３を取り除く場合に、摺り切り具１２が固定枠体１１の内周に沿って一体に形成してあるので、この摺り切り具１２となんら干渉することなく、スムーズに取り除くことができる。
【００３４】
この後、図２（ａ）に示すように、摺り切り具１２の一端部１２ａを固定枠体１１から切り離し、この係止凸部１３ａを固定枠体１１の周囲２点間を結ぶ弦となるように移動し、係止部１３の係止凹部１３ｂに、図２（ｂ）に示すように、上から押さえるようにして嵌め込む。
【００３５】
すると、図２（ｃ）に示すように、摺り切り具１２がその他端部１２ｃを基点として周囲２点間を結ぶ弦状に張られた状態で係止部１３の係止凹部１３ｂに係止固定され、スプーンですくった粉ミルクなどを摺り切ることができる。
【００３６】
こうして使用を開始した後は、蓋体１５を開閉することで、保存用容器として使用することができ、例えば蓋体１５だけ持つようなことがあっても、固定枠体１１を製造ラインで強固に嵌合することができ、落下を完全に防止することができる。
【００３７】
また、蓋体１５を連結部１４としてのヒンジで固定枠体１１と連結してあるので、蓋体１５を外して別置きにする必要がなく、常に衛生的に保つことができ、特に使いはじめにも固定枠体１１と蓋体１５との蓋部全体を取り外す必要もなく衛生的である。
【００３８】
さらに、摺り切り具１２は固定枠体１１から切り離して取り付けるだけであり、蓋部分全体を一旦取り外してから再び取り付けるのに比べ、わずかな力で簡単に使い始めの準備ができる。
【００３９】
次に、この発明の摺り切り具付の蓋の他の一実施の形態について図３および図４により説明するが、既に説明した上記実施の形態と同一部分は、同一記号を記し、説明は省略する。
【００４０】
図３および図４はこの発明の摺り切り具付の蓋の他の一実施の形態にかかり、図３は使用前の状態の一部分を省略した概略平面図、図４は使用状態の一部分を省略した概略平面図である。
【００４１】
この摺り切り具付の蓋２０は、図３に示すように、使用前の状態の摺り切り具２１の配置（合成樹脂による固定枠体１１と摺り切り具２１の一体成形状態）が異なるものであり、摺り切り具２１が固定枠体１１を横断するように配置してある。
【００４２】
この摺り切り具２１の一端部２１ａが係止部２２を構成する略板状の係止凸部２２ａとされて略板状の先端面の一部が固定枠体１１に切り離すことができるように連結されて一体に成形してある。そして、摺り切り具２１の中間部２１ｂは横断面形状が略三角形などとされて固定枠体１１を横断し、他端部２１ｃは連結状態のままここを基点に摺り切り具２１を上方に退避させることができるように動かした後、さらに下方に戻して固定枠体１１の周囲２点間を結ぶ、例えば水平な弦となるように動かしても切り離れることがないように固定枠体１１と一体成形で連結してある。
【００４３】
また、この固定枠体１１には、摺り切り具２１の切り離される一端部２１ａである係止部２２の係止凸部２２ａを係止するための係止凹部２２ｂが摺り切り具２１の他端部２１ｃを基点に周囲２点間を結ぶ、例えば水平な弦状とする場合の位置に対応して一体に形成してある。この係止凹部２２ｂは、摺り切り具２１の他端部２１ｃを基点として周囲２点間を結ぶ、例えば水平な弦状とする場合には、固定枠体１１の２箇所が選択できるが、ここでは、例えば、図３に示すように、一端部２１ａを大きく動かす必要のない切り離し前の取付位置に隣接して形成してある。そして、この係止凹部２２ｂは、図４（ｂ）中に拡大して示すように、水平部２２ｃと、直角な２辺の押え部２２ｄとで前方が開口した係止溝２２ｅが構成され、水平部２２ｃに沿って係止凸部２２ａを滑らせて斜め下方の係止溝２２ｅ内に押しこむようにすることで、係止凸部２２ａが係止凹部２２ｂの押え部２２ｄで押えられて係止されるようにしてある。
【００４４】
なお、これ以外の他の構成は、既に説明した上記実施の形態と同一である。また、容器の形状や材質についても上記実施の形態の場合と同一である。
【００４５】
このように構成した摺り切り具付の蓋２０では、図３（ａ）に示すように、固定枠体１１の内周を横断するように摺り切り具２１が配置されて一端部２１ａは切り離し可能に、中間部２１ｂは、空間を横断した状態で、他端部２１ｃは連結状態のままそこを基点に一端部２１ａを上方に退避させた後に水平に戻して周囲２点間を結ぶ弦状に係止することができるようになっている。
【００４６】
したがって、図４（ａ）に示すように、摺り切り具２１は、一端部２１ａを切り離して上方に回動して退避させることで、不通気性のアルミシールＣ３を缶Ｃから取り除くことができ、同図（ｂ）に示すように、水平に戻して弦状に係止部２２の係止溝２２ｅに滑り込ませて係止することで摺り切り具２１をセットすることができる（図４（ｃ）参照）。
【００４７】
このような摺り切り具付の蓋２０によっても既に説明した上記実施の形態の場合と同様の効果を奏するとともに、摺り切り具２１の横断面形状を三角形などとして剛性を高めてあるので、摺り切る場合のたわみを抑えることができる。
【００４８】
なお、上記２つの実施の形態では、摺り切り具の横断面形状を矩形や円形、あるいは三角形などとしたが、これらに限らずＴ字状など他の形状であっても良く、摺り切りやすく、しかも固定枠体と一体に成形できるものであれば良い。
【００４９】
【発明の効果】
以上、実施の形態とともに具体的に説明したようにこの発明の請求項１記載の摺り切り具付の蓋によれば、容器口部の上部に不通気性の仕切り部材が設けられた容器本体に、蓋の周囲２点間を結んで摺り切り具が設けられた容器の口部に備えられる摺り切り具付の蓋であって、容器口部に嵌合固定されるとともに、前記摺り切り具の一端部を係止する係止部を備えた環状の固定枠体を設け、この固定枠体と一体に形成される前記摺り切り具の他端部を前記仕切り部材を取り外すときに退避可能に連結形成するとともに、前記一端部を前記固定枠体に切り離し可能に連結形成する一方、この摺り切り具を前記仕切り部材の上方に収納して前記固定枠体を覆う蓋体を設けて構成したので、固定枠体を容器の口部に嵌合固定したまま一体に形成された摺り切り具の他端部を連結した状態で退避させて仕切り部材を取り外すことができ、切り離した一端部を固定枠体の係止部に係止して周囲２点間を結んで配置することで摺り切り具として機能させるようにセットすることができ、これらを蓋体で覆うことで、保存用の容器の蓋とすることができる。
【００５０】
これにより、容器口部から固定枠体を取り外すことなく密封用の仕切り部材を取り除くことができ、しかも固定枠体と一体に摺り切り具を形成しておくことができる。
【００５１】
また、この発明の請求項２記載の摺り切り具付の蓋によれば、前記摺り切り具の前記他端部を、当該摺り切り具を上方に退避可能に前記固定枠体に連結して形成したので、固定枠体に一体に摺り切り具が形成してあっても一端部を切り離し、他端部を連結状態のまま上方に退避させて仕切り部材を取り除くことができ、切り離した一端部を係止することで摺り切り具を固定枠体にセットすることができる。
【００５２】
さらに、この発明の請求項３記載の摺り切り具付の蓋によれば、前記摺り切り具の前記他端部を、当該摺り切り具を前記固定枠体の内周面に沿わせて退避可能に連結して形成したので、固定枠体に一体に摺り切り具が形成してあってもそのまま仕切り部材を取り除くことができ、他端部を連結状態のまま一端部を切り離して、係止することで摺り切り具を固定枠体にセットすることができる。
【００５３】
また、この発明の請求項４記載の摺り切り具付の蓋によれば、前記固定枠体と前記蓋体とをヒンジを介して開閉可能に連結して形成したので、蓋体も取り外して別置きにする必要がなく、置き場所を考慮することなく常に衛生的に保つことができるとともに、片手で開閉することができる。
【００５４】
さらに、この発明の請求項５記載の摺り切り具付の蓋によれば、前記固定枠体と前記蓋体との間に改ざんを防止する改ざん防止構造を設けるようにしたので、容器に嵌合固定した固定枠体と蓋体との間に改ざん防止構造を設けることで、固定枠体を１度も取り外す必要がなく、強固に取り付けておくことができ、固定枠体ごと取り外されることを防止して、バージンシール性を確保することができる。
【図面の簡単な説明】
【図１】この発明の摺り切り具付の蓋の一実施の形態にかかる使用前の状態の一部分を省略した概略平面図である。
【図２】この発明の摺り切り具付の蓋の一実施の形態に使用状態の一部分を省略した概略平面図である。
【図３】この発明の摺り切り具付の蓋の他の一実施の形態にかかる使用前の状態の一部分を省略した概略平面図である。
【図４】この発明の摺り切り具付の蓋の他の一実施の形態に使用状態の一部分を省略した概略平面図である。
【図５】従来の摺り切り具付の蓋の概略斜視図である。
【図６】従来の他の摺り切り具付の蓋の概略斜視図である。
【符号の説明】
１０，２０      摺り切り具付の蓋
１１            固定枠体
１１ａ          嵌合固定部
１１ｂ          段差部
１２、２１      摺り切り具
１２ａ，２１ａ  一端部
１２ｂ、２１ｂ  中間部
１２ｃ，２１ｃ  他端部
１３、２２      係止部
１３ａ，２２ａ  係止凸部
１３ｂ，２２ｂ  係止凹部
１４            連結部
１５            蓋体
１５ａ          側壁内周部
１６            改ざん防止機構
２２ｃ          水平部
２２ｄ          押え部
２２ｅ          係止溝
Ｃ              缶（容器）
Ｃ１            口部
Ｃ２            カール部
Ｃ３            アルミシール
Ｃ４            つまみ
【図１】
2004338737.tif 000003
【図２】
2004338737.tif 000004
【図３】
2004338737.tif 000005
【図４】
2004338737.tif 000006
【図５】
2004338737.tif 000007
【図６】
2004338737.tif 000008